(57)【要約】【課題】ＩＰネットワークの回線閉塞情報を、主信号伝送回線で公衆網通信業者に伝達するための、異なる通信事業者間の相互接続通信網における障害伝達方法を提供する。【解決手段】管理回線網100に備えられる呼接続制御装置110及び回線接続装置120が、公衆回線網200に備えられる公衆網交換機210と、それぞれ、共通線信号回線310及び主信号伝送回線312で接続されている相互接続通信網において実施され、以下の過程を備えている。回線障害認識過程では、回線接続装置120により、管理回線網100の回線障害が発生した障害発生回線を認識する。警報送出過程では、回線接続装置120により、障害発生回線に対応する回線障害警報を、主信号伝送回線312を介して、公衆網交換機210へ送出する。発呼抑止過程では、公衆網交換機210により回線障害警報を受けて、障害発生回線への発呼抑止を行う。回線閉塞過程では、呼接続制御装置110により、回線接続装置120と通信を行うときに、障害発生回線を検出し、当該障害発生回線を閉塞する。【選択図】図２ 
2005252395.tif 000002
【特許請求の範囲】
【請求項１】
管理回線網に備えられる呼接続制御装置が、公衆回線網に備えられる公衆網交換機と共通線信号回線で接続され、及び、前記管理回線網に備えられる回線接続装置が、前記公衆網交換機と主信号伝送回線で接続されている相互接続通信網で回線に発生した障害を伝達する方法において、
前記回線接続装置によって、前記管理回線網内で回線障害が発生した障害発生回線を認識する回線障害認識過程と、
該障害発生回線の認識に応答して該回線接続装置により回線障害警報を発生して、該回線障害警報を前記主信号伝送回線を介して、前記公衆網交換機へ送信する警報送出過程と、
前記公衆網交換機によって、前記回線障害警報の受信に応答して、前記障害発生回線に対する発呼の抑止を行う発呼抑止過程と、
前記呼接続制御装置が前記回線接続装置と通信を行うときに、該呼接続制御装置によって前記障害発生回線を検出して前記障害発生回線を閉塞する回線閉塞過程と
を備えることを特徴とする相互接続通信網における障害伝達方法。
【請求項２】
前記回線閉塞過程後に、
前記回線接続装置によって、前記障害発生回線の回線障害回復を検出する回線障害回復検出過程と、
前記回線接続装置によって、前記回線障害回復の検出に応答して障害回復通知を前記呼接続制御装置に送信するとともに、閉塞解除通知を前記公衆網交換機に送信する障害回復通知過程と、
前記呼接続制御装置によって、前記障害回復通知の受信に応答して、前記障害発生回線の閉塞の解除を行うとともに、前記公衆網交換機によって、前記閉塞解除通知の受信に応答して、前記障害発生回線に対する発呼の抑止を解除する発呼抑止解除過程と
を備えることを特徴とする請求項１に記載の相互接続通信網における障害伝達方法。
【請求項３】
前記発呼抑止過程において、さらに、前記公衆網交換機によって、前記回線障害警報の受信に応答して、前記回線接続装置に対して回線障害警報受信信号を送信し、及び、前記回線接続装置によって、該回線障害警報受信信号の受信に応答して、回線障害警報の送信を終了する
ことを特徴とする請求項１又は２に記載の相互接続通信網における障害伝達方法。
【請求項４】
前記障害回復通知過程において、さらに、前記公衆網交換機によって、前記障害回復通知の受信に応答して、前記回線接続装置に対して閉塞解除通知受信信号を送信し、
前記回線接続装置によって、該閉塞解除通知受信信号の受信に応答して、閉塞解除通知の送信を終了する
ことを特徴とする請求項３に記載の相互接続通信網における障害伝達方法。
【発明の詳細な説明】
【技術分野】
【０００１】
この発明は、異なる通信事業者間の相互接続通信網における障害伝達方法に関するものである。
【背景技術】
【０００２】
デジタル革命からＩＴ革命へと変遷する中で、各通信事業者においても、次世代ネットワークの構築に向けた取り組みが活性化している（例えば、非特許文献１参照）。
【０００３】
異なる通信事業者間の相互接続通信網で共通線信号方式を用いる場合、各事業者の回線網間は主信号伝達回線及び共通線信号回線で接続される。共通線信号方式では、主信号伝送回線を介して通話を行い、共通線信号回線を介して通信に必要な、起動、接続確認、回線切断などの呼接続情報の伝送を行う。
【０００４】
異なる通信事業者間の相互接続通信網として、例えば、ＩＰ電話通信事業者が管理するＩＰネットワークと公衆網通信事業者が管理する公衆回線網とが接続されている相互接続通信網について説明する。ＩＰネットワークと公衆回線網とを接続する場合は、公衆網通信事業者が管理する公衆網交換機や、公衆網通信事業者により規定された相互接続点を用いて、互いの主信号伝送回線と共通線信号回線とを接続することにより構成される。
【０００５】
一般に、ＩＰネットワーク内の回線において回線障害等が発生し、そのために、回線閉塞により呼接続できない回線が存在しても、公衆網通信業者による相互接続規定により、共通線信号回線を使用した閉塞信号伝達ができない。従って、公衆網通信業者が、ＩＰネットワーク内に閉塞されて呼接続できない回線を捕捉した場合にのみ、公衆網通信業者は当該回線の閉塞を認識し、この認識に基づいて当該回線への発呼を抑止する運用管理を行うことができる。
【非特許文献１】霜越  潔  他著「ネットワークインフラソリューション、沖電気の次世代コアネットワーク」沖テクニカルレビュー  ２００１年１月第１８５号Ｖｏｌ．６８、Ｎｏ．１  第７２〜７５頁
【発明の開示】
【発明が解決しようとする課題】
【０００６】
しかしながら、公衆回線網などＩＰネットワーク以外の回線からＩＰネットワークに接続要求する場合、公衆網通信業者がＩＰネットワーク内で障害が発生した回線の閉塞を認識するまで、ＩＰネットワークに通話要求する者は、当該回線が閉塞中か運用中か知ることができない。このため、例えば、公衆回線網からＩＰネットワークに接続する場合、公衆網交換機は、ＩＰネットワークの当該回線への発呼を抑止できず、発呼後に通話不可を示す話中音を受けることになる。従って、閉塞を認識するまで発呼を繰り返すことになるという問題がある。
【０００７】
この発明は、上述の問題点に鑑みてなされたものであり、この発明の目的は、主信号伝送回線でＩＰネットワークの回線閉塞情報を公衆網通信業者に伝達することができる、異なる通信事業者間の相互接続通信網における障害伝達方法を提供することである。
【課題を解決するための手段】
【０００８】
上述した目的を達成するために、管理回線網に備えられる呼接続制御装置が、公衆回線網に備えられる公衆網交換機と、共通線信号回線で接続され、及び、管理回線網に備えられる回線接続装置が、公衆回線網に備えられる公衆網交換機と、主信号伝送回線で接続されている相互接続通信網で、回線に発生した障害を伝達する方法、すなわち、この発明の相互接続通信網における障害伝達方法は、以下の過程を備えている。
【０００９】
回線障害認識過程では、回線接続装置が、管理回線網の回線障害が発生した障害発生回線を認識する。警報送出過程では、回線接続装置により、障害発生回線の認識に応答して回線障害警報を発生して、当該回線障害警報を主信号伝送回線を介して公衆網交換機へ送信する。発呼抑止過程では、公衆網交換機によって、回線障害警報の受信に応答して、障害発生回線に対する発呼の抑止（単に、発呼抑止ともいう。）を行う。回線閉塞過程では、呼接続制御装置が回線接続装置と通信を行うときに、呼接続制御装置によって、障害発生回線を検出して当該障害発生回線を閉塞する。
【００１０】
上述したこの発明の相互接続通信網における障害伝達方法の実施にあたり、好ましくは、回線閉塞過程の後に、障害回復検出過程、障害回復通知過程、及び発呼抑止解除過程を備えるのが良い。
【００１１】
障害回復検出過程では、回線接続装置によって、障害発生回線の回線障害回復を検出する。障害回復通知過程では、回線接続装置によって、回線障害回復の検出に応答して、障害回復通知を呼接続制御装置に送信するとともに、閉塞解除通知を公衆網交換機に送信する。発呼抑止解除過程では、呼接続制御装置によって、障害回復通知の受信に応答して、障害発生回線の閉塞を解除する。また、公衆網交換機によって、閉塞解除通知の受信に応答して、障害発生回線の発呼抑止を解除する。
【００１２】
また、この発明の相互接続通信網における障害伝達方法の好適実施例によれば、発呼抑止過程において、さらに、公衆網交換機によって、回線障害警報の受信に応答して、回線接続装置に対して回線障害警報受信信号を送信し、及び回線接続装置が、回線障害警報受信信号の受信に応答して、回線障害警報の送信を終了するのが良い。
【００１３】
また、この発明の相互接続通信網における障害伝達方法の好適実施例によれば、障害回復通知過程において、さらに、公衆網交換機が、障害回復通知の受信に応答して、回線接続装置に対し閉塞解除通知受信信号を送信し、及び回線接続装置が、閉塞解除通知受信信号の受信に応答して、閉塞解除通知の送信を終了するのが良い。
【発明の効果】
【００１４】
この発明の相互接続通信網における障害伝達方法によれば、主信号伝送回線を介して、回線障害警報を公衆網交換機へ送信するので、公衆網交換機は、管理回線網内での障害発生回線を把握でき、従って、当該障害発生回線への発呼を抑止することができる。
【００１５】
さらに障害発生回線が回復したときに、回線接続装置が障害回復通知を公衆網交換機へ送信するので、公衆網交換機は、障害回復を障害回復通知の受信により認識し、その後、相互接続通信網の運用を速やかに通常運用に戻すことができる。
【００１６】
また、公衆網交換機が、回線障害警報を受信した後に、回線障害警報の受信に応答して、回線接続装置に対して回線障害警報受信信号を送信するので、回線接続装置は、公衆網交換機が回線障害警報を受信したことを認識できる。回線障害警報受信信号の受信に応答して、当該回線障害警報の送信を終了することができるので、不要な信号の送受信を減らすことができる。
【００１７】
また、公衆網交換機が、閉塞解除通知を受信した後に、閉塞解除通知の受信に応答して、回線接続装置に対して閉塞解除通知受信信号を送信するので、回線接続装置は、公衆網交換機が当該閉塞解除通知を受信したことを認識できる。閉塞解除通知受信信号の受信に応答して、当該閉塞解除通知の送信を終了することができるので、不要な信号の送受信を減らすことができる。
【発明を実施するための最良の形態】
【００１８】
以下、図を参照して、この発明の実施の形態について説明するが、構成および配置関係についてはこの発明が理解できる程度に概略的に示したものに過ぎない。また、以下、この発明の好適な構成例につき説明するが、単なる好適例にすぎず、従って、この発明は以下の実施の形態に限定されない。
【００１９】
図１は、この発明の障害伝達方法を実行する、管理回線網としてのＩＰネットワークと公衆回線網とによる相互接続通信網のネットワーク構成を示す概略図である。
【００２０】
ＩＰ電話通信事業者は、ＩＰネットワーク１００と、ＩＰネットワーク１００に接続されている、呼接続制御装置１１０及びゲートウェイ装置１２０とを管理する。公衆網通信事業者は、公衆回線網２００と、公衆回線網２００に接続されている公衆網交換機２１０を管理している。
【００２１】
呼接続制御装置１１０と公衆網交換機２１０とは、第１相互接続点３００で、共通線信号回線３１０により接続されている。ゲートウェイ装置１２０と公衆網交換機２１０とは、第２相互接続点３０２で、主信号伝送回線３１２により接続されている。第１相互接続点３００及び第２相互接続点３０２は、公衆網通信事業者によって管理されている。
【００２２】
主信号伝送回線３１２は、ＩＰネットワーク１００と公衆回線網２００の間に個別に設けられ、ＩＰネットワーク１００及び公衆回線網２００間の、通話などによる音声データやその他のデータの伝送を行う。
【００２３】
共通線信号回線３１０は、公衆回線網２００と、公衆回線網２００に接続されている、ＩＰネットワーク１００及びその他の通信回線網（図示を省略する。）とを接続するように設けられていて共通線信号網を形成している。共通線信号回線３１０は、異なる事業者が管理する回線網相互間、この例では、ＩＰネットワーク１００と公衆回線網２００との間の通信に必要な起動、接続確認、回線切断などの呼接続情報の伝送を行う。
【００２４】
ＩＰネットワーク１００及び公衆回線網２００には、それぞれ１つまたは２以上の端末が接続されていて、例えばＩＰネットワーク１００に接続されている端末１３０と、公衆回線網２００に接続されている端末２３０とは、ＩＰネットワーク１００、主信号伝送回線３１２、公衆網交換機２１０、及び公衆回線網を介して、通話などデータの伝送を行う。また、図１では、相互接続通信網としてＩＰネットワーク１００及び公衆回線網２００を接続して構成されるものを例にとって説明しているが、例えば、公衆回線網と合せて、さらに、他の１または２以上の通信事業者が管理するネットワークを介して通話を行う通信網にも適用できる。
【００２５】
ゲートウェイ装置１２０は、ＩＰネットワーク１００と公衆回線網２００との間の接続を行うための装置である。ゲートウェイ装置１２０は、コンピュータ１２１、及び、周知のゲートウェイ装置が備える回線接続手段１２３を備えて構成される。このコンピュータとして、例えば、周知のパーソナルコンピュータを用いることができる。コンピュータ１２１の中央処理装置（ＣＰＵ）１２２は、閉塞状態認識手段１２５及び閉塞情報送受信手段１２７を機能手段として備えている。これらの機能手段は、ＣＰＵ１２２の制御手段１２８により、ＣＰＵ１２２内のメモリ（図示を省略する）又は別途設けられた記憶装置１２９に読み出し自在に記録されたプログラムを読み出して、実行することで実現される。記憶装置１２９には、例えば、ＩＰネットワーク内の回線での回線障害が起こった場合には、回線障害が起こった回線の回線番号や障害内容等が記録される。
【００２６】
呼接続制御装置１１０は、呼接続の際に、ＩＰネットワーク１００の呼接続情報をゲートウェイ装置１２０の記憶装置１２９から入手し、及び、公衆回線網２００などＩＰ電話通信事業者が管理しない回線網の呼接続情報を共通線信号回線３１０から入手する。例えば公衆回線網２００の呼接続情報は、公衆網交換機２１０内の記憶装置（図示を省略する。）に記録されている。呼接続制御装置１１０は、これらの呼接続情報に基づいて、ゲートウェイ装置１２０の制御を行う。ＩＰネットワーク１００と公衆回線網２００との間で通信を行う場合は、共通線信号回線３１０を使用して公衆回線網２００と呼接続情報を通信し、ゲートウェイ装置１２０の回線接続手段１２３に対して、接続する回線を指示し、公衆網交換機２１０との呼を確立する。
【００２７】
公衆網交換機２１０は、公衆回線網２００と、ＩＰネットワーク１００または他の通信事業者が管理する回線網（図示を省略する。）との間の接続を行うための装置である。公衆網交換機２１０は、コンピュータ２２１、呼接続制御手段２１２、及び、回線接続手段２２３を備えて構成される。このコンピュータ２２１として、例えば、周知のパーソナルコンピュータを用いることができる。コンピュータ２２１の中央処理装置（ＣＰＵ）２２２は、閉塞情報送受信手段２２７を機能手段として備えている。この機能手段は、ＣＰＵ２２２の制御手段２２８によりＣＰＵ２２２内のメモリ（図示を省略する）又は別途設けられた記憶装置２２９に読み出し自在に記録されたプログラムを読み出して実行することで実現される。記憶装置２２９には、例えば、公衆回線網２００内の回線での回線障害が起こった場合には、回線障害が起こった回線の回線番号や障害内容等が記録される。
【００２８】
図２を参照して、回線障害が発生したときの、障害伝達方法について説明する。図２は、障害情報伝達フローを示す図である。
【００２９】
Ｓ１０では、回線障害認識過程が行われる。ＩＰネットワーク１００内の回線で、回線障害が発生した場合、ゲートウェイ装置１２０の閉塞状態認識手段１２５が、回線障害を検出する。この回線障害の検出は、例として、次のようにして行われる。閉塞状態認識手段１２５が、ＩＰネットワーク１００内の各端末に対して、一定の時間間隔で、特定のフラグを付した確認信号を送信する。一方、各端末では、確認信号の受信に応答して、ゲートウェイ装置１２０に対して確認信号を返信する。閉塞状態認識手段１２５では、各端末から送られてきた確認信号のフラグから、回線の障害の有無及び回線の障害がある場合はその場所などを認識することができる。また、閉塞状態認識手段１２５は、この回線障害が発生した回線について、回線番号や障害内容等を記憶装置１２９に記録する。
【００３０】
Ｓ２０では、警報送信過程が行われる。ゲートウェイ装置１２０の閉塞情報送受信手段１２７は、Ｓ１０の回線障害認識過程で、回線障害が検出された回線（以下、障害発生回線と称する。）に対応する回線障害警報４０２を生成し、さらに、公衆網交換機２１０へ送信する。この回線障害警報４０２の送信は、主信号伝送回線３１２を介して行われる。
【００３１】
Ｓ３０及びＳ４０では、発呼抑止過程が行われる。
【００３２】
Ｓ３０において、公衆網交換機２１０は、閉塞情報送受信手段２２７により、回線障害警報４０２を受信し、この回線障害警報４０２の受信に応答して、回線障害警報受信信号４０６をゲートウェイ装置１２０に送信する。
【００３３】
Ｓ４０において、ゲートウェイ装置１２０の閉塞情報送受信手段１２７が、回線障害警報受信信号４０６を受信する。閉塞情報送受信手段１２７は、回線障害警報受信信号４０６の受信に応答して、回線障害警報４０２の送信を終了する。一方、公衆網交換機２１０は、回線障害警報４０２の受信に応答して、ＩＰネットワーク１００内の障害発生回線を閉塞回線とし、回線番号等を記憶装置２２９に読み出し自在に記録する。その後、ＩＰネットワーク１００と接続を行う場合に、記憶装置２２９から、障害発生回線の回線番号を読み出して、当該障害発生回線への呼接続を行わない。
【００３４】
このような方法を用いると、公衆網交換機２１０が、回線障害警報４０２を受信した後、回線障害警報受信信号４０６を、ゲートウェイ装置１２０に送信することで、ＩＰネットワークのゲートウェイ装置１２０、又はＩＰ電話通信事業者が公衆網交換機２１０で、回線障害警報４０２が受信されたことを確認できるので好適である。この場合、閉塞情報送受信手段１２７が、回線障害警報受信信号４０６の受信に応答して、回線障害警報４０２の送信を終了できるので、主信号伝送回線３１２に不要な信号を送信しなくなる。
【００３５】
また、公衆網交換機２１０が、回線障害警報受信信号４０６を送信しない構成の場合は、閉塞情報送受信手段１２７は、一定の時間、又は一定の回数、回線障害警報４０２を送信して、その後送信を終了する構成としても良い。または、回線障害が回復するまで、一定の時間間隔で、回線障害警報４０２を送信する構成としても良い。
【００３６】
Ｓ５０では、回線閉塞過程が行われる。呼接続制御装置１１０が、呼接続のためにゲートウェイ装置１２０への通信を行ったときに、閉塞状態認識手段１２５により、記憶装置１２９に記録された障害発生回線についての回線番号などの情報を得る。呼接続制御装置１１０は、その回線番号で示される障害発生回線を閉塞回線とし、その後の呼接続を行わないようにする。
【００３７】
ＩＰネットワーク１００の呼接続制御装置１１０、及び、公衆回線網２００の公衆網交換機２１０により、障害発生回線が閉塞された後は、ＩＰネットワーク１００と公衆回線網２００は、呼接続時に、ゲートウェイ装置１２０及び公衆網交換機２１０がそれぞれ備える記憶装置１２９及び２２９に記録された障害発生回線についての情報を読み出す。そして、その情報に基づいて障害発生回線以外の、閉塞されていない回線だけを利用して呼接続し、相互接続通信網を運用する。
【００３８】
Ｓ１００では、回線障害回復検出過程が行われる。回線障害回復検出過程において、閉塞状態認識手段１２５は、障害発生回線の障害が回復したことを検出する。障害の回復の検出はＳ１０で障害の発生を検出したときと同様に行う。ここで、回線障害及び障害回復の検出に用いられる確認信号は、回線の運用中は、閉塞状態認識手段１２５から、一定の時間間隔で常時送信されている。
【００３９】
Ｓ１１０では、障害回復通知過程が行われる。Ｓ１００の回線障害回復検出過程で、障害発生回線の障害が回復したことを検出した場合、障害回復通知過程において、閉塞情報送受信手段１２７は、障害回復通知４１４を生成して、当該障害回復通知４１４を呼接続制御装置１１０に送信する。また、閉塞情報送受信手段１２７は、主信号伝送回線３１２を介して公衆網交換機２１０へ、閉塞解除通知４０４を送信する。
【００４０】
Ｓ１２０では、発呼抑止解除過程が行われる。呼接続制御装置１１０は、ゲートウェイ装置１２０から障害回復通知４１４を受信し、この受信に応答して、障害発生回線の閉塞を解除する。公衆網交換機２１０は、閉塞解除通知４０４を受信すると、ゲートウェイ装置１２０に対し、閉塞解除通知受信信号４０８を送信するとともに、障害発生回線への発呼抑止を解除する。
【００４１】
Ｓ１３０において、閉塞情報送受信手段１２７は、閉塞解除通知受信信号４０８の受信に応答して、閉塞解除通知４０４の送信を停止する。
【００４２】
閉塞解除通知受信信号４０８については、上述した回線障害警報受信信号４０６と同様に、閉塞解除通知受信信号４０８を送信しない構成としても良い。
【００４３】
呼接続制御装置１１０及び公衆網交換機２１０の両者で、閉塞が解除された後は、通常の通信網運用になる。
【００４４】
ここでは、ＩＰ電話通信事業者と公衆網通信事業者間の相互接続通信網について説明したが、この障害伝達方法は、電気通信事業法等で定められる電気通信事業者が公衆網通信事業者と相互接続を行う場合にも適用可能である。
【図面の簡単な説明】
【００４５】
【図１】ＩＰネットワークと公衆回線網とによる相互接続通信網のネットワーク構成を示す概略図である。
【図２】障害情報伝達フローを示す図である。
【符号の説明】
【００４６】
１００    ＩＰネットワーク
１１０    呼接続制御装置
１２０    ゲートウェイ装置
１２１、２２１    コンピュータ
１２２、２２２    中央処理装置（ＣＰＵ）
１２３、２２３    回線接続手段
１２５    閉塞状態認識手段
１２７、２２７    閉塞情報送受信手段
１２８、２２８    制御手段
１２９、２２９    記憶装置
２００    公衆回線網
２１０    公衆網交換機
２１２    呼接続制御手段
３００    第１相互接続点
３０２    第２相互接続点
３１０    共通線信号回線
３１２    主信号伝送回線
４０２    回線障害警報
４０４    閉塞解除通知
４０６    回線障害警報受信信号
４０８    閉塞解除通知受信信号
４１４    障害回復通知
【図１】
2005252395.tif 000003
【図２】
2005252395.tif 000004